(57)【特許請求の範囲】
【請求項１】
内部にレンジキャビティ（１０）が画定される外側筺体（１５）であって、当該レンジキャビティ（１０）を見えるようにする前面開口部を有する外側筺体（１５）と、
前記レンジキャビティ（１０）の全体を充分に見えるようにする第１及び第２の開いた位置と前記前面開口部に広がる閉じた位置との間で動作するために取り付けられた扉（２５）と、
選択的にスライド動作及び傾斜動作の各々を通じて、前記扉（２５）が、前記開いた位置と前記閉じた位置との間で位置を変えることを可能にする扉リンク組立体（８５、９０、１２０、１００）と、
を有し、
前記扉（２５）は、当該扉（２５）を前記外側筺体（１５）に沿って垂直方向に位置を変えて、前記第１の開いた位置にスライドし、前記レンジキャビティ（１０）を見えるようにし、
前記扉（２５）は、当該扉（２５）を上方に前記外側筺体（１５）から離れるように外方向に旋回させて、前記第２の開いた位置に傾斜し、前記レンジキャビティ（１０）を見えるようにする、レンジ。
【請求項２】
請求項１に記載のレンジにおいて、
前記扉リンク組立体（８５、９０、１２０、１００）は、
前記扉（２５）に接続された第１アーム（８５）と、
前記第１アーム（８５）と前記外側筺体（１５）とを相互接続するばね組立体（７５）と、
を含む、レンジ。
【請求項３】
請求項２に記載のレンジにおいて、
前記第１アーム（８５）は、前記ばね組立体（７５）の力を前記扉（２５）の上面部分で開く力に変換する、レンジ。
【請求項４】
請求項２に記載のレンジにおいて、
前記ばね組立体（７５）は、前記扉（２５）の動きを滑らかにするダンパを含む、ばねとダンパとの組立体の一部を形成する、レンジ。
【請求項５】
請求項２に記載のレンジにおいて、
前記扉リンク組立体（８５、９０、１２０、１００）は、
前記扉（２５）に接続された第２アーム（１００）と、
前記第１アーム（８５）及び前記第２アーム（１００）に相互接続する第３アーム（９０）と、
を更に含む、レンジ。
【請求項６】
請求項５に記載のレンジにおいて、
前記扉リンク組立体（８５、９０、１２０、１００）は、
前記第３アーム上に提供されるカムフォロワ（１１０）と、
前記カムフォロワ（１１０）によってスライド可能に係合されるプロフィール部分（Ｋ)を有するカムリンク（１２０）と、
を更に含む、レンジ。
【請求項７】
請求項６に記載のレンジにおいて、
前記扉リンク組立体（８５、９０、１２０、１００）は、前記カムリンク（１２０）の前記プロフィール部分（Ｋ)を前記カムフォロワ（１１０）との係合に付勢するばね（１２５）を更に含む、レンジ。
【請求項８】
請求項７に記載のレンジにおいて、
前記ばね（１２５）は、前記カムリンク（１２０）の前記プロフィール部分上に作用して、前記第２アーム（１００）の主導端部にて、所定の傾斜位置で、前記扉（２５）に力を印加する、レンジ。
【請求項９】
請求項７に記載のレンジにおいて、
前記カムリンク（１２０）は、
前記外側筺体（１５）に旋回可能に接続された第１端部と、
前記カムフォロワ（１１０）で形成された第２端部と、
を有する、レンジ。
【請求項１０】
請求項７に記載のレンジにおいて、
前記カムフォロワ（１１０）は、前記ばね（１２５）によって前記カムリンク（１２０）に抗して保持され、当該カムリンク（１２０）に抗してスライド接触又は回転接触を採用して、前記第２アーム（１００）上に力を提供する、レンジ。
【請求項１１】
請求項１０に記載のレンジにおいて、
前記ばね（１２５）は、前記カムリンク（１２０）上に作用して、旋回点回りのモーメントを生成し、前記カムフォロワ（１１０）と当該カムリンク（１２０）との間に反動力を生成する、レンジ。
【請求項１２】
請求項５に記載のレンジにおいて、
前記第２アームと相互作用して、前記ばね組立体（７５）によって印加される力に抗して前記閉じた位置で前記扉（２５）をラッチするラッチ歯止め（１４０）を更に備える、レンジ。
【請求項１３】
請求項１２に記載のレンジにおいて、
前記外側筺体（１５）と前記ラッチ歯止め（１４０）との間に接続されたラッチばね（１４５）を更に備える、レンジ。
【請求項１４】
請求項１３に記載のレンジにおいて、
前記ラッチ歯止め（１４０）上に作用するラッチを外すアクチュエータ（１５０）を更に備え、
前記ラッチ歯止め（１４０）のラッチを外すために前記ラッチばね（１４５）の力に打ち勝つための力を提供する、レンジ。
【請求項１５】
レンジキャビティ（１０）の全面開口部に広がる閉じた位置から選択的に当該レンジキャビティ（１０）を見えるようにする第１及び第２の開いた位置へレンジの外側筺体（１５）に対する扉リンク組立体（８５、９０、１２０、１００、１１０）を通じて扉（２５）を再配置する方法であって、
ａ）前記扉（２５）を前記外側筺体（１５）に沿って垂直方向に当該外側筺体（１５）に対して位置を変えて当該扉（２５）を前記第１の開いた位置へスライドさせ、前記レンジキャビティ（１０）を見えるようにするスライド工程と、
ｂ）前記扉（２５）を上方に前記外側筺体（１５）から離れるように外方向に旋回させて当該扉（２５）を第２の開いた位置に傾斜させ、前記レンジキャビティ（１０）を見えるようにする傾斜工程と、
を備え、
前記スライド工程及び前記傾斜工程はいずれも、前記扉（２５）と前記外側筺体（１５）を相互接続する扉リンク組立体を通じて達成され、
これらの工程を通じて、前記扉（２５）を再配置する、方法であって、
前記扉リンク組立体（８５、９０、１２０、１００、１１０）は、前記扉（２５）に接続された第１アーム（８５）と、該第１アーム（８５）と前記外側筺体（１５）とを相互接続するばね組立体（７５）と、前記扉（２５）に接続された第２アーム（１００）と、前記第１アーム（８５）及び前記第２アーム（１００）に相互接続する第３アーム（９０）と、該第３アーム上に提供されるカムフォロワ（１１０）と、前記カムフォロワ（１１０）によってスライド可能に係合されるプロフィール部分（Ｋ)を有するカムリンク（１２０）と、を含む、方法。
【発明の詳細な説明】
【技術分野】
【０００１】
関連する出願の相互参照
[0001]  本出願は、２００９年５月２０日に出願された米国特許仮出願シリアル番号第６１／１７９，９４１号、発明の名称「スライドし傾斜する扉組立体（Sliding and Tilting Door Assembly）」の利益を主張する。
【背景技術】
【０００２】
発明の分野
[0002]  本発明は、調理器具の分野に関し、特に、電子レンジで使用するために特に設計された、選択的にスライドし傾斜する扉組立体に関する。
【０００３】
先行技術の議論
[0003]  画定された軸周りに旋回する単一の一般に長方形状の扉を備えた調理器具の提供は広く知られている。即ち、レンジ扉の上面部分と底面部分はレンジキャビネットに対して旋回し、扉は、ヒンジ軸周りに器具から外に向けて引かれ、レンジキャビティへのアクセスを提供する。例えば、垂直軸周りに旋回する電子レンジの扉を有することは一般的である。この型のレンジ扉は広く普及し使用されているが、それは、適用されるすべてに全く申し分のないものではない。例えば、垂直軸周りに回転するレンジ扉は、器具から外方向にかなりの距離だけ飛び出す。この距離は、器具をどこに配置するかを決定するときに考量されなければならない。そうでなければ、開いた扉が、人の行き来等を妨げることがあり、周囲の領域に対するアクセスを妨げさえする。加えて、そのようなレンジ扉ゆえに、その扉を充分に開けるためには、使用者は、器具の一方の側に移動する必要がある。この問題に取り組むために、例えばそのような配置が類似の欠点を有する水平軸周りに旋回する扉のような他の扉構造をレンジに提供する製造業者もいる。
【０００４】
[0004]  アクセスとスペースの問題は、ファーストフードチェーンで見られるような商業目的のキッチンに関連して、特に関心がある。これらの分野では、時間とスペースとが、特に重要である。いずれの場合でも、様々な知られた扉構造が存在するにも関らず、、特に、レンジ扉のための扉構造が存在するにも関らず、融通の利く扉システムに対する必要性が未だに存在するように見受けられる。更にとりわけ、様々なモードで使用可能で、扉が開いた位置と閉じた位置との間を様々な方法で動くことを許容し、それによって、少なくとも異なるアクセス構成を提供する扉システムに対する必要性が存在する。
【発明の概要】
【課題を解決するための手段】
【０００５】
[0005]  本発明は、キャビネットのための扉リンクシステムを指向し、特に、調理器具のキャビネット、更に特定すれば、電子レンジのキャビネットのための扉リンクシステムを指向する。扉リンクシステムでは、扉は、スライド動作又は傾斜動作のいずれかを通じて、開いた位置と閉じた位置との間で位置を変えることが可能である。本発明の他の特徴によれば、扉は、工程サイクルの最後に自動で開くか手動で開かれることが可能である。
【０００６】
[0006]  本発明の最も好適な実施形態によれば、レンジキャビティは、上面と底面と背面と、対向する側壁とを備え、集まって前面開口部を画定する電子レンジのキャビネット内に確立される。本発明によれば、キャビネットは、開いた位置と閉じた位置との間で自動又は手動で位置を変えることが可能な扉を備える。更に特定すれば、扉は、スライド動作又は傾斜動作のいずれかを通じて開いた位置と閉じた位置との間で手動又は自動で位置を変えることができる。
【０００７】
[0007]  本発明の更なる目的、特徴及び有利な点は、図面に関連して考慮されるとき以下に詳述される好適な実施形態の記載から更に直ちに明らかになるであろう。図面では、複数の図面内で対応する部品に類似の参照符号が付される。
【図面の簡単な説明】
【０００８】
【図１】スライドした状態で示された扉を備えた本発明のスライドし傾斜する扉組立体が閉じた位置に組み込まれた電子レンジの前面正面図である。[0008]
【図２】スライドした状態で示された扉を備えた本発明のスライドし傾斜する扉組立体が開いた位置に組み込まれた電子レンジの前面正面図である。[0009]
【図３】閉じた状態の扉を備えたスライドし傾斜する扉組立体の概略側面図である。[0010]
【図４】図３のスライドし傾斜する扉組立体の図で、スライドして開いた状態の扉を備えた扉組立体の概略側面図である。[0011]
【図５】本発明のスライドし傾斜する扉組立体に採用されたラッチの概略側面である。[0012]
【図６】傾斜して開いた初期状態の扉組立体の概略側面図である。[0013]
【図７】傾斜して開いたニュートラル状態の扉組立体の概略側面図である。[0014]
【図８】反動して傾斜して開いた状態の扉組立体の概略側面図である。[0015]
【図９】充分に傾斜して開いた状態の扉組立体の概略側面図である。[0016]
【発明を実施するための形態】
【０００９】
[0018]  図１及び図２を最初に参照すれば、本発明に従って構成された電子レンジは、一般に符号５で示される。示されるように、電子レンジ５は、外側キャビネット１５内に整合されたレンジ即ち処理キャビティ１０を含み、外側キャビネット１５は、ハンドル２７を有する扉２５を開くときに見えるようになる背面壁２０によって少なくとも一部が画定される。扉２５は、閉じた位置と開いた位置との間を垂直方向にスライドして移動可能であり、閉じた位置では、図１に示されるように、上方の構成要素の筺体部分３２の中の排気ルーバ３０が見えるようになり、開いた位置では、図２に示されるように、キャビティ１０を見えるようになる。示された実施形態では、制御パネル３５は、キャビティ１０下方の電子レンジ５の前面部分上に配置され、制御パネル３５は、多数分割ディスプレイ４０と、数字キーパッド部５０と、入力ボタン５５と、出力レベルボタン５７と、スタートボタン５９と、ストップボタン６０とを含む。示された実施形態では、キャビティ１０は、１３インチ（約３３センチ）の幅、８インチ（約２０センチ）の奥行き、６インチ（約１５センチ）の高さの寸法を有する。しかし、この点で、これらの図面に示された特別な構造と大きさ、及び、制御パネルの構造は、単に例示の目的で表され、全体の発明に従って大いに変わり得ることは記されるべきである。示されていないが、電子レンジ５は、調理操作の間にレンジキャビティ１０内に向けられる電磁波を生成するための１又は２以上のマグネトロンを含む。この基本的な配置に留意すれば、本発明は、以下に充分に詳説されるように、扉２５の取り付け及び動きに特に向けられる。
【００１０】
[0019]  上に示したように、電子レンジ５の扉２５は、スライド動作と傾斜動作の各々を通じて開くことが可能であり、以下に更に充分に詳述する。これらの機能を実行するために、扉２５は、図３及び図４に最も良く示される構造を通じて取り付けられる。再び、本発明の記述された好適な実施形態は、調理即ち処理キャビティ１０を有する電子レンジとしてレンジ５を表し、調理即ち処理キャビティ１０は、扉５によって閉じられるように適合された前面の開く部分を有する。ばねとダンパとを結合した組立体（ＧＳＲ）７５は、前面端部（個別に符号が付されていない）に旋回可能に取り付けられる。この旋回可能な取り付けは、固定した旋回軸を確立している。ある特徴では、ばねとダンパとの組立体７５は、扉２５を開くために力を提供し、他の特徴では、扉２５が動く間、動作的なダンパを提供する。様々な型のばねとダンパとの結合体が採用され得るが、伸展性を有するコイルバネの包まれた空気ダンパ（an extensible, coil spring wrapped pneumatic damper）がこの好ましく採用される。この点で、ダンパは、実際には動作に必要ないが、ダンパが、動作の滑らかさを改善することは、理解されるであろう。
【００１１】
[0020]  従アーム８５は、旋回点Ｆで扉２５に旋回可能に接続される。基本的に、従アーム８５は、ばねとダンパとの組立体７５の力を、扉２５の頂部ジョイントで、開く力に変換する。傾斜リンク９０は、ジョイントＬで主導アーム１００に接続し、ピンＨの形態で示されるカムフォロワ１１０を備える。カムリンク１２０は、ジョイントＣで外側キャビネット１５内に旋回可能に取り付けられる。カムリンク１２０は、カムリンクプロフィールＫ上で動作するカムばね１２５からの力でカムフォロワ１１０を通じて動作し、主導端部扉接続部Ｌでの所望の力を、所定の傾斜位置で扉２５に提供する。
【００１２】
[0021]  更に特定すれば、カムフォロワ１１０は、カムばね１２５によってカムリンク１２０に抗して保持され、カムリンク１２０に抗するスライド接触又は転がり接触を採用して、主導アーム１００上に所望の力を提供する。同時に、カムばね１２５は、ピンＪでカムリンク１２０に接続され、一方、カムリンク１２０上に作用して、旋回点Ｃ回りのモーメントを生成し、カムフォロワ１１０とカムリンクプロフィールＫとの間の接触ピンＨに反動力を生成する。
【００１３】
[0022]  同時に、主導アーム１００は、ジョイントＬで傾斜リンク９０に接続され、ジョイントＭで扉２５に接続される。主導アーム１００は、主導アームラッチプロフィールＮに沿ってラッチ歯止め１４０で妨害して、扉２５のためのラッチを提供する。ラッチ歯止め１４０は、好ましくはジョイントＰで器具５に取り付けられ、一方、主導アームプロフィールＮを妨害するピン又はローラを画定して、ばねとダンパとの組立体７５によって印加される開く力に抵抗するラッチを確立する。
【００１４】
[0023] ラッチばね１４５は、Ｑでレンジ５に接続され、Ｒで歯止め１４０に接続される。ラッチばね１４５は、ラッチ歯止め１４０上に作用して、ラッチ歯止め１４０上にジョイントＰ回りのモーメントを提供し、ラッチ歯止め１４０と主導アーム１００との間の係合を確立する力を主導アームプロフィールＮで提供する。ソレノイドアクチュエータのようなラッチを外すアクチュエータ１５０は、ラッチ歯止め１４０に接続する。ラッチを外すアクチュエータ１５０は、ラッチ歯止め１４０上に作用して、接続点Ｓに印加される力を提供し、歯止め１４０と主導アームプロフィールＮでラッチの係合を外すために、ラッチばね１４５の力を打ち負かす。
【００１５】
[0024]  図３乃至図５を特に参照して、扉のスライド動作を以下のように記述する。
【００１６】
Ｉ．通常の閉じる操作モード
[0025]  開いた位置（図４参照）では、扉２５は、ばねとダンパとの組立体７５の力によって充分に開いた位置に保持される。ばねとダンパとの組立体７５の力は、ジョイントＡで従アーム８５上に作用し、Ｆで扉２５上の力を生成して扉２５を開いた状態に保持するＤ回りのモーメントを生成する。扉２５の主導端部の配置は、カムフォロワ１１０とカムリンクプロフィールＫとの間の反動、及び、カムばね１２５によって印加される力によって生成されるカムリンク１２０上のモーメントによって保持される。カムリンクプロフィールＫは、扉２５が、閉じた位置、即ち、操作位置に近いとき、カムフォロワ１１０とカムリンクプロフィールＫとの間の反動が、傾斜リンク９０上に作用するＤ回りのモーメントを生成するように構成され、その結果、傾斜リンク９０は、主導アーム１００を通じて作用し、扉２５の主導端を、器具の隣の操作位置に向けて引っ張る。
【００１７】
[0026]  扉２５を閉じるために、操作者は、ハンドル２７を通じて扉２５に、ばねとダンパとの結合組立体（ＧＳＲ）７５の力に打ち勝つのに充分な閉じる力を印加する。これにより、扉２５は、ラッチ歯止め１４０に向けて動く。扉２５が閉じる位置（図５参照）に近づくと、主導アームラッチプロフィールＮは、ラッチ歯止め１４０に接触する。主導アームプロフィールＮは、主導アームプロフィールＮがラッチ歯止め１４０上に作用してラッチばね１４５によって生成されるＰ回りのモーメントに打ち勝ち、ラッチ歯止め１４０を動かして、ラッチ歯止め１４０が主導アームラッチプロフィールＮ回りに移動することを可能にするように構成される。
【００１８】
[0027] 扉２５が充分に閉じた位置に到着したとき、主導アームラッチプロフィールＮは、ラッチ歯止め１４０が、主導アームラッチプロフィールＮの後ろに移動することを許容するように構成される。Ｐ回りのラッチ歯止め１４０上のモーメントは、ラッチ歯止め１４０をラッチ位置へと回転させる。この位置で、ばねとダンパとの結合組立体７５によって生成され、ラッチ歯止め１４０を通じて作用する扉２５上の開ける力が、主導アームラッチプロフィールＮのところで、それに対してほとんど垂直となるように、ラッチ歯止め１４０と主導アームプロフィールＮとの間の係合は構成される。この点で、操作者は、扉２５に印加される力を除去し、扉２５は、ラッチ位置で保持されて、即ち、扉２５は閉じられ、ラッチ位置にある（図３参照）。器具の制御部は、ラッチを外すアクチュエータ１５０を起動させることで、開けるサイクルを始める。ラッチを外すアクチュエータ１５０は、歯止め１４０に抗して作用し、ラッチばね１４５によって生成されたＤ回りのモーメントに打ち勝ち、Ｄ回りの逆方向のモーメントを生成する。このモーメントは、ラッチ歯止め１４０上に作用し、ラッチ歯止め１４０がもはや主導アームラッチプロフィールＮに係合しないようにそれを回転させる。ラッチ歯止め１４０は、主導アーム１００から係合を外されるとき、Ａにて従アーム８５上に作用するばねとダンパとの組立体７５の力に抵抗する力は存在せず、それによって、Ｆにて開ける力を扉２５上に生成するＤ回りのモーメントを生成し、図４に示される充分に開いた位置へとスライドして動くように扉２５を導く。
【００１９】
ＩＩ．扉を自動的に開ける
[0028]  ラッチが自動的に外れることで、扉は工程サイクルの最後に自動で開くことができる。これにより、操作者は、扉を開けるために必要とされる時間と動作とを省くことができ、操作者が他の仕事を実行できるようになる。加えて、自動で開くことで、器具の工程が完結したという手掛かりが視覚的に提供される。
【００２０】
ＩＩＩ．手動で開ける（扉のラッチを手動で外す方法）
[0029]  扉２５が閉じてラッチ位置にある状態から始まって（図３参照）、操作者は、ハンドル２７を通じて扉を開ける力を扉２５に印加する。
この力の成分のいくらかは、器具から外方向に向けられる。これの終わりには、少なくとも扉が下に配置されることとハンドル２７のグリップの構成のために、この外方向の力の成分が、操作者と扉ハンドル２７との間の典型的な相互作用によって確実に生成される。いずれにせよ、扉２５に印加されるこの力の外方向成分は、主導アーム１００を通じて作用し、傾斜リンク９０上のＤ回りのモーメントに打ち勝ち、傾斜リンク９０をわずかに回転させ、主導アーム１００と主導アームラッチプロフィールＮとを、ラッチ位置から離れるように動かす。ラッチ歯止め１４０は、バンパ構造Ｔと接触することで、主導アーム１００と共に動くことを妨げられる。ラッチ歯止め１４０に対する主導アーム１００のこの動きは、ラッチ歯止め１４０を、主導アームラッチプロフィールＮから係合を外すために作用する。ラッチを外すことが完結するのに変位が充分であるとき、ばねとダンパとの組立体７５は、全体の機構を通じて作用し、扉２５を開く位置へと動かす。カムリンク１２０と傾斜リンク９０との間の反動は、Ｍでの扉２５の主導端部を開く位置に戻す。
【００２１】
[0030]  この点で、選択的に手動によってラッチを外す方法が同様に採用され得ることは、記載されるべきである。例えば、操作者は、ラッチ歯止め１４０上に直接又は間接に作用する機構（不図示）に力を印加して、上の扉を自動的に開けるシーケンスで記述したように、ラッチを外す工程を実行することが可能である。代替的な配置では、操作者は、直接又は間接に作用する機構に力を印加して、上の手動で開けるシーケンスで記述したように、主導アーム１００をラッチ歯止め１４０に対して動かすことが可能である。これは、扉の主導端部を動かすことで、或いは、傾斜リンクをわずかに回転させることで、達成されることが可能である。
【００２２】
[0031]  図６乃至図９を特に参照すれば、扉２５の傾斜動作が以下に記述される。
【００２３】
ＩＶ．扉を傾斜させる操作
[0032]  傾斜させる操作の主要な目的は、扉２５をＦで従アームジョイント回りに迅速に回転させ、レンジキャビティ１０への改善されたアクセスのための回転された位置で保持されることを可能にすることである。扉２５を傾斜させるために、操作者は、扉２５の主導端部に力を印加して引き、扉２５がジョイントＦ回りで旋回するとき、扉の動きに対して概ね接する力を印加し続ける。扉２５は、傾斜のために開いた位置にあることが意図されるが、傾斜は任意の位置に初期化できる。しかし、ばねとダンパとの組立体７５、及び、カムの反動力は、扉２５が動作位置即ち閉じる位置から離れるように実質的に回転するとき、従アーム８５を開いた位置に引っぱる傾向がある。
【００２４】
[0033]  扉２５が傾斜位置に回転するとき、カムリンクプロフィールＫを備えたカムリンク６の構成は、カムばね１２５からの力によって生成される点Ｃ回りのモーメントのために、カムフォロワ１１０上に作用する（以下、「カムの反動」として参照する）。記載されたように、機構は、旋回を通じて変化する力を提供するように構成される。更に特定すれば、操作位置からの小さな角度の扉の変位で、反動は、扉２５の主導端部を、操作位置に向けて引っ張り、その位置（図６）でそれを保持する。操作位置からの扉の変位が増えるとき、カムの反動が扉２５にどちらの方向への力を加えていないような、カムの反動が中立のニュートラル点に、扉２５は到達する。扉２５を傾斜位置から操作位置に動かすとき、操作者は、ニュートラル点（図７）を通過したとき、機構が扉２５を操作位置に向けて引っ張ることを感じるだろう。
【００２５】
[0034] 変位が増加すると、カムの反動は向きを変え、結果として生じる力が僅かに付勢されて、扉２５を充分に傾斜した位置に動かす。これは、操作者に僅かな感覚を提供し、その動きに制御を与える。扉２５を傾斜位置から操作位置に動かすとき、カムのこの部分は、扉２５が操作位置に戻ってバタンと閉まることを防ぐ（図８）。扉２５が充分に傾斜した位置に接近するとき、カムの反動は、操作者によって印加される力無しで、扉２５が傾斜位置で保持されるのに充分な力を生成する。それ故に、操作者は、扉２５に力を印加して、操作位置に向けて戻るように動作を始めなければならない（図９）。
【００２６】
[0035]  上記の内容に基づけば、本発明によれば、閉じた位置と開いた位置との間を手動で又は自動で位置を変えることが可能な多用途の扉組立体を提供すること、そして、扉がスライドする動き又は傾斜する動きのいずれかを通じて位置を変えることができることは、直ちに明らかにされるべきである。更に特定すれば、開く機構及び閉じる機構は、閉じた位置と開いた位置との間をほぼ直線的な動きで扉が移動することを許容するスライド動作を提供可能なリンクシステムを採用する。その結果、扉の動作が近隣の作業空間に侵入することを最小化することができる。この配置を備えることで、操作者は、扉を旋回して開ける必要はなく、扉の旋回を収納するために位置を変える必要はなく、これにより、効率と柔軟性とが改善される。加えて、レンジキャビティや他の内部キャビネット領域へのアクセスは、キャビネットの両側から同じである。ファーストフードチェーンに関連して特に有利な点は、扉組立体のおかげで、扉が機器の前面空間を通って回転する必要がないので、工程の物品を機器の前面に置くことを可能にする。加えて、扉は、工程操作が完了するとき、自動的に開けることが可能であり、それによって、動作が完了したことの手掛かりを視覚的に提供する。実質的な効果として、操作者の時間と労力とを著しく減らすことがある。内部へのアクセスのために扉を傾斜することと結合して、リンク機構は、操作者の所望の感覚や扉の動作を提供するために目的に合わせて作られることができる。開示されるように、機構は、小さな角度の変位で引き戻す力を有利に提供し、それは、操作位置から扉の動きに抵抗する。傾斜角度が増加するとき、機構の反動は、その動きを傾斜位置に向けて助けるニュートラルの力又は僅かな力を提供する。最後に、充分に傾斜した位置で、機構は、扉をその位置で保持するために力を増加させ、操作者に移動のための感覚を提供する。本発明の好適な実施形態を参照して記述されたが、様々な変化及び／又は修正が本発明に精神から離脱することなく本発明に対してなされることは直ちに理解されるべきである。一般に、本発明は、以下の特許請求の範囲に限定されるように意図されるだけである。
【図１】
0005845176.tif 000002
【図２】
0005845176.tif 000003
【図３】
0005845176.tif 000004
【図４】
0005845176.tif 000005
【図５】
0005845176.tif 000006
【図６】
0005845176.tif 000007
【図７】
0005845176.tif 000008
【図８】
0005845176.tif 000009
【図９】
0005845176.tif 000010